(57)【要約】      （修正有）【課題】集魚効果を高めることができるルアーを提供することを課題とする。【解決手段】ルアー１であって、金属製のルアー本体１０と、ルアー本体１０内に設けられ、金属音を発生させる音発生機構２０とを備えている。音発生機構２０は前記ルアー本体１０内に形成された収容穴２１と、前記収容穴２１内に形成された収容空間に移動自在に収容された金属部材２３とを備えている。【選択図】図１
2011135806.tif 000002
【特許請求の範囲】
【請求項１】
金属製のルアー本体と、
前記ルアー本体内に設けられ、金属音を発生させる音発生機構と、を備えていることを特徴とするルアー。
【請求項２】
前記音発生機構は、
前記ルアー本体内に形成された収容穴と、
前記収容穴内に形成された収容空間に移動自在に収容された金属部材と、を備えていることを特徴とする請求項１に記載のルアー。
【請求項３】
前記収容穴は、前記ルアー本体の外面に開口しており、
前記収容穴の開口部は透明な収容部材によって塞がれていることを特徴とする請求項２に記載のルアー。
【請求項４】
前記収容部材は、筒状の透明部材と、前記透明部材の開口端部に設けられた金属製の蓋部材と、を備えており、
前記収容部材内に前記収容空間が形成されていることを特徴とする請求項３に記載のルアー。
【請求項５】
前記収容穴と前記収容部材との境目には、接着材が充填されていることを特徴とする請求項３または請求項４に記載のルアー。
【発明の詳細な説明】
【技術分野】
【０００１】
本発明は、魚釣り用のルアーに関する。
【背景技術】
【０００２】
魚釣り用のルアーとしては、金属製のルアー本体を有するメタルジグと呼ばれるものがあり、このルアーを水中に沈下させて魚に捕食させている（例えば、特許文献１参照）。
【先行技術文献】
【特許文献】
【０００３】
【特許文献１】特開平１０−１０８５９０号公報
【発明の概要】
【発明が解決しようとする課題】
【０００４】
前記したようなルアーでは、ルアー本体の重心位置を偏らせることで、水中にルアーを沈下したときに、ルアーを揺動させて集魚効果を高めているが、さらに、ルアーの集魚効果を高めて魚の捕食活動を刺激することが望まれている。そこで、本発明では、集魚効果を高めることができるルアーを提供することを課題とする。
【課題を解決するための手段】
【０００５】
前記課題を解決するため、本発明は、ルアーであって、金属製のルアー本体と、前記ルアー本体内に設けられ、金属音を発生させる音発生機構と、を備えていることを特徴としている。
この構成では、音発生機構から発生する金属音によって魚を集めることができる。また、ルアー本体が金属製であるため、音発生機構から発せられた金属音がルアー本体に響くことになる。
【０００６】
前記したルアーにおいて、前記音発生機構が、前記ルアー本体内に形成された収容穴と、前記収容穴内に形成された収容空間に移動自在に収容された金属部材と、を備えている場合には、シャクリやリトリーブなどによってルアーが水中で回転や揺動などの動きをしたときに、金属部材が収容空間を仕切るルアー本体などの壁面に当接して金属音が発生する。
【０００７】
前記したルアーにおいて、前記収容穴を前記ルアー本体の外面に開口させ、前記収容穴の開口部が透明な収容部材によって塞がれている場合には、ルアーの外からルアー本体内の金属部材を視認することができる。
【０００８】
前記したルアーにおいて、前記収容部材が、筒状の透明部材と、前記透明部材の開口端部に設けられた金属製の蓋部材と、を備え、前記収容部材内に前記収容空間が形成されている場合には、金属部材が収容された収容部材をルアー本体の収容穴内に嵌め込むことで、ルアー本体内に金属部材を収容することができる。
【０００９】
前記したルアーにおいて、前記収容穴と前記収容部材との境目に、接着材を充填することで、収容穴と収容部材との境目に形成された隅部や隙間を接着材によって埋めることができる。
【発明の効果】
【００１０】
本発明では、音発生機構から発生する金属音によって集魚効果を高めることができ、魚の捕食活動を刺激することができる。また、音発生機構から発せられた金属音がルアー本体に響くため、ルアーから金属音を効果的に発生させることができる。
【００１１】
また、収容穴内の金属部材によって金属音を発生させる構成では、簡単な構造で金属音を発生させることができる。
【００１２】
また、収容穴を透明な収容部材で塞いだ構成では、ルアー本体内で移動する当接部材を魚に視認させることで、集魚効果を高めることができる。さらに、ルアーの購入客に対して、ルアーが音発生機構を備えていることがアピールされるため、ルアーの購買効果を高めることができる。
【００１３】
また、収容空間が形成された収容部材を収容穴内に設ける構成では、ルアー本体内に金属部材を簡単に収容することができる。
【００１４】
また、収容穴と収容部材との境目に接着材を充填することで、収容穴と収容部材との境目に汚れが溜まるのを防ぐことができる。
【図面の簡単な説明】
【００１５】
【図１】本実施形態のルアーを示した図で、（ａ）は全体斜視図、（ｂ）は側面図である。
【図２】本実施形態のルアーを示した図で、（ａ）は図１（ｂ）のＡ−Ａ拡大断面図、（ｂ）は収容部材の斜視図である。
【図３】他の実施形態のルアーを示した図で、（ａ）は透明部材の両端部が開口している構成の断面図、（ｂ）は収容穴をルアー本体の中心位置から偏らせた構成の側面図である。
【発明を実施するための形態】
【００１６】
次に、本発明の実施形態について、適宜図面を参照しながら詳細に説明する。
本実施形態のルアー１は、図１（ａ）に示すように、釣糸係止部１ａおよび釣針１ｂが設けられた魚釣り用のメタルジグであり、このルアー１を錘として水中に沈下させて、魚に捕食させている。
なお、以下の説明において、前後左右上下方向とは、図１（ａ）に示した各方向に対応している。この各方向は、ルアー１を説明する上で便宜上設定したものであり、ルアー１の構成を限定するものではない。本実施形態では、ルアー１をリトリーブなどによって遊泳させたときに前側となる部位を前部としている。
【００１７】
ルアー１は、図１（ａ）に示すように、金属製のルアー本体１０と、ルアー本体１０内に設けられた音発生機構２０と、を備えている。
【００１８】
ルアー本体１０は、図１（ｂ）に示すように、前後方向に延ばされた金属の塊であり、前後方向の中間位置よりも前側の位置で、上下方向の幅が最も大きく形成されており、側面視で略菱形の形状となっている。
ルアー本体１０の前端部には、釣糸を結ぶためのリングを有する釣糸係止部１ａが設けられている。また、ルアー本体１０の後端部には、釣針１ｂが揺動自在に取り付けられている。
【００１９】
音発生機構２０は、図１（ｂ）に示すように、ルアー本体１０の前後方向の中間位置よりも前側で、上下方向の中間位置に形成された収容穴２１と、収容穴２１内に嵌め込まれた収容部材２２と、収容部材２２内に移動自在に収容された二個の金属部材２３，２３と、を備えている。
【００２０】
収容穴２１は、前後方向に延ばされ、前端部および後端部が半円状に形成された長孔であり、図２（ａ）に示すように、ルアー本体１０の左右方向に貫通しており、ルアー本体１０の側面１０ａ，１０ｂに開口している。
また、収容穴２１において、ルアー本体１０の一方の側面１０ａ側（図２（ａ）の上側）の拡大部２１ａは、他方の側面１０ｂ側（図２（ａ）の下側）の縮小部２１ｂよりも前後方向に大きく形成されている。これにより、収容穴２１の前端部および後端部の内面には、拡大部２１ａと縮小部２１ｂとの段差によって、角部２１ｃ，２１ｃが形成されている。
【００２１】
収容部材２２は、図２（ａ）に示すように、収容穴２１の拡大部２１ａ内に嵌め込まれることで収容穴２１の開口部を塞ぐ部材であり、収容部材２２の前後の長さは、収容穴２１の拡大部２１ａの前後の長さと略同一に形成されている。
【００２２】
収容部材２２は、図２（ｂ）に示すように、円筒状の透明部材２２ａと、透明部材２２ａの両端部に設けられた蓋部材２２ｂ，２２ｂと、を備えている。
【００２３】
透明部材２２ａは、アクリル、ポリカーボネート、ポリアミド、ポリ塩化ビニルなどの透明な樹脂材料を用いた円筒状の部材である。
【００２４】
蓋部材２２ｂは、金属製の半球形状の部材であり、平端面に突起部２２ｃが形成されている。
蓋部材２２ｂの突起部２２ｃは、透明部材２２ａの開口端部に挿入されており、蓋部材２２ｂによって透明部材２２ａの両端部が閉塞されている。そして、各蓋部材２２ｂ，２２ｂによって透明部材２２ａの両端部が閉塞されることで、透明部材２２ａ内に収容空間２２ｄが形成されている。
【００２５】
金属部材２３は、収容部材２２の収容空間２２ｄに収容される金属製の球体である。本実施形態では、収容空間２２ｄに二個の金属部材２３，２３が前後方向に移動自在に収容されている。
【００２６】
図２（ａ）に示すように、収容部材２２をルアー本体１０の収容穴２１内に取り付ける場合には、収容穴２１の一方の側面１０ａ側から拡大部２１ａに収容部材２２を嵌め込む。このとき、収容部材２２の前後方向の長さは、拡大部２１ａの長さと略同一であるため、収容部材２２の両端部に設けられた蓋部材２２ｂ，２２ｂが、収容穴２１の内面に形成された角部２１ｃ，２１ｃに当接することで、収容部材２２が収容穴２１内で位置決めされる。
【００２７】
さらに、収容穴２１の内面と収容部材２２の外面との境目に、エポキシ樹脂などの接着材２４を充填して、収容部材２２を収容穴２１内に固着させる。このとき、隅部に充填された接着材２４の表面が曲面状に窪むように、収容穴２１と収容部材２２との境目に接着材２４が充填されている。
【００２８】
以上のように構成されたルアー１は、次のような作用効果を奏する。
図２（ａ）に示すように、ルアー本体１０内に設けられた音発生機構２０では、シャクリやリトリーブなどによってルアー１が水中で回転や揺動などの動きをしたときに、金属部材２３，２３が収容部材２２内で前後方向に移動し、金属部材２３が金属製の蓋部材２２ｂに当接したり、金属部材２３，２３同士が当接したりすることで金属音が発生する。
このように、本実施形態のルアー１では、音発生機構２０から発生した金属音によって集魚効果を高めることができ、魚の捕食活動を刺激することができる。
なお、ルアー本体１０が金属製であることから、音発生機構２０で発せられた金属音がルアー本体１０に響くため、ルアー１から金属音を効果的に発生させることができる。
【００２９】
また、図１（ｂ）に示すように、金属部材２３，２３は筒状の透明部材２２ａ内に収容されているため、ルアー１の外からルアー本体１０内の金属部材２３，２３を視認することができる。そして、ルアー本体１０内で移動する金属部材２３，２３を魚に視認させることで、集魚効果を高めることができる。
さらに、ルアー本体１０内の金属部材２３，２３が外から見えることで、ルアー１の購入客に対してルアー１が音発生機構２０を備えていることがアピールされるため、ルアー１の購買効果を高めることもできる。
【００３０】
また、図２（ａ）に示すように、収容穴２１と収容部材２２との境目に形成された隅部や隙間が接着材２４によって埋められているため、収容穴２１と収容部材２２との境目に汚れが溜まるのを防ぐことができる。本実施形態では、隅部に充填された接着材２４の表面が曲面状に窪んでいるため、より一層隅部に汚れが溜まり難くなっている。
【００３１】
また、金属部材２３，２３が収容された収容部材２２をルアー本体１０の収容穴２１内に嵌め込むことで、ルアー本体１０内に金属部材２３，２３を簡単に収容することができる。
【００３２】
以上、本発明の実施形態について説明したが、本発明は前記実施形態に限定されることなく、その趣旨を逸脱しない範囲で適宜に変更が可能である。
【００３３】
例えば、本実施形態では、図２（ａ）に示すように、二個の金属部材２３，２３によって金属音を発生させているが、金属部材２３の大きさや個数は限定されるものではない。
また、金属部材２３は球体に限定されるものではなく、円柱形状や角形状など様々な形状の金属部材を用いることができる。
さらに、金属部材２３の表面を鏡面に加工したり、金属部材２３を蛍光塗料などで着色したりして、金属部材２３の視認性を高めることで、集魚効果を高めることもできる。
【００３４】
また、本実施形態の収容部材２２では、図２（ａ）に示すように、透明部材２２ａの両端部に半球形状の蓋部材２２ｂ，２２ｂが設けられているが、蓋部材２２ｂの形状は限定されるものではない。なお、蓋部材２２ｂの材質は限定されるものではないが、金属音が共鳴し易い部材、例えば、ルアー本体１０と同じ部材であることが好ましい。
また、透明部材２２ａの両端部に蓋部材２２ｂ，２２ｂを設けることなく、図３（ａ）に示すように、透明部材２２ａの両端部を開口させ、金属部材２３，２３が収容穴２１の内面に当接するように構成してもよい。なお、図３（ａ）に示した収容穴２１内には、図２（ａ）に示した収容穴２１のように、拡大部２１ａおよび縮小部２１ｂによる段差が形成されていないが、図３（ａ）に示した収容穴２１内に拡大部および縮小部を形成し、その段差によって角部を設けてもよい。
また、本実施形態では、図２（ａ）に示すように、筒状の収容部材２２を収容穴２１内に取り付けることで、収容穴２１内に金属部材２３の収容空間２２ｄを設けているが、収容穴２１の開口部を板状の透明部材によって塞ぐことで、収容穴２１内に金属部材２３の収容空間を形成することもできる。
また、本実施形態では、収容穴２１がルアー本体１０の左右方向に貫通しているが、収容穴２１は片方の側面のみに開口していてもよく、さらには、ルアー本体１０内に形成された空洞部を収容穴としてもよい。
また、収容穴２１を左右方向の一方から他方に向かうに連れて前後方向の大きさが小さくなるようにテーパ状に形成してもよい。この構成では、収容穴２１内に角部を形成することなく、収容穴２１の一方から挿入された収容部材２２を収容穴２１内に位置決めすることができる。
【００３５】
また、本実施形態では、収容部材２２の透明部材２２ａ全体が透明に形成されているが、透明部材２２ａの一部を半透明または非透明に形成してもよい。
また、透明部材２２ａは、金属部材２３を外から視認することができる程度の透過性を有していればよい。
また、金属部材２３が収容された金属製の筒状体（収容部材）を収容穴２１に嵌め込むことで、収容穴２１内に収容空間を形成することもできる。
【００３６】
また、図３（ｂ）に示すように、収容穴２１をルアー本体１０の中心位置からずらして形成してもよい。この構成では、ルアー１Ａが釣糸係止部１ａを支点として揺動するときに、収容部材２２内で金属部材２３を効果的に動かすことができ、音発生機構２０から金属音を発生させることができる。
また、一体のルアー本体１０に対して、複数の音発生機構２０を設けてもよい。
【００３７】
また、本実施形態では、図１（ｂ）に示すように、収容穴２１はルアー本体１０の前後方向に延ばされているが、収容穴２１をルアー本体１０の前後方向に対して傾斜させたり、収容穴２１をルアー本体１０の上下方向に延ばしたりしてもよい。さらには、収容穴２１を側面視で正方形や円形に形成してもよい。
【符号の説明】
【００３８】
１      ルアー
１ａ    釣糸係止部
１ｂ    釣針
１０    ルアー本体
２０    音発生機構
２１    収容穴
２１ａ  拡大部
２１ｂ  縮小部
２１ｃ  角部
２２    収容部材
２２ａ  透明部材
２２ｂ  蓋部材
２２ｃ  突起部
２２ｄ  収容空間
２３    金属部材
２４    接着材
【図１】
2011135806.tif 000003
【図２】
2011135806.tif 000004
【図３】
2011135806.tif 000005